【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
回転体Ｊ取り付く車輪Ｂが、円弧の滑走面を押圧して上記回転体Ｊが回転する駆動部において、上記円弧の滑走面が「上記回転体Ｊの回転軸Ｑを中心とする円弧の滑走面ＫＫ２」と「上記回転体Ｊの回転軸Ｑを中心としない円弧の滑走面で上記回転体Ｊの回転軸Ｑの周りに回転自在に軸支された滑走面Ｋ１」とを備え、ドアが閉まるとき小車輪Ｂが上記滑走面Ｋ１上を往復し、同時に上記滑走面Ｋ１上と滑走面ＫＫ２上を移動するようにした駆動部を有するドア
【請求項２】
上記バネの伸縮に伴い互いに接近する駆動部の２つ部分の片方に渦巻き曲線の外周を持つカム体Ｍを、他方に上記カム体Ｍの外周と接触する「円形の車輪」或いは摩擦面を取り付けて、上記２つの部分の間の距離が接近する長さに比べて長い長さを上記２つの部分の接触点が移動することにより「上記２つの部分の間の距離が接近する速度」が減速されるようにした減速装置を有する請求項１に記載するドア
【請求項３】
上記バネの伸縮に伴い互いに接近する駆動部の２つ部分の、片方の回転軸に「円形の車輪」或いは「渦巻き曲線を折れ線にした外周を持つカム体」を、他方の回転軸に「渦巻き曲線を折れ線にした外周を持つカム体」を取り付け、互いに接触して反対方向に自転しながら接近するようにして、上記２つの部分の間の距離が接近する長さに比べて長い距離を上記２つの部分の接触点が停止と移動を繰り返すことにより「上記２つの部分の間の距離が接近する速度」が減速されるようにした減速装置を有する請求項１に記載するドア
【請求項４】
上記バネの伸縮に伴い互いに接近する駆動部の2つ部分のそれぞれに、「互いに接触して回転しながら接近する円形の車輪と渦巻き曲線を折れ線にした外周を持つカム体」を複数組取付け、それぞれの組の上記カム体の２つの角部が同時に接触しないように、それぞれの組において「上記円形の車輪と上記カム体の回転軸間の距離」を異にして取り付けて、「上記２つの部分の間の距離が接近する速度」が減速されるようにした減速装置を有する請求項１に記載するドア
【請求項５】
上記バネの伸縮に伴い互いに接近する駆動部の２つ部分の「片方の回転軸に回転自在に取付けられるアーム」の先端に取り付く車輪が、他方に設けたジグザグ状の通路を左右に往復しながら前進し、上記アームが振り子運動して「上記２つの部分の間の距離が接近する速度」が減速されるようにした減速装置を有する請求項１に記載するドア
【請求項６】
上記バネの伸縮に伴い互いに接近する駆動部の２つ部分の「片方の回転軸に回転自在に取付けられるアーム」の先端に取り付く車輪が、他方に取付けられた互いに対面する２つの櫛歯状の界壁の間に出来るジグザグ状の通路を左右に往復しながら前進し、上記アームが振り子運動して、「上記車輪の進行方向と平行な界壁」の「片方の部分に近い端部」が「他方の部分に取付けられる回転支点」の周りに回転自在に軸支され、該回転支点を中心に「上記車輪が上記櫛歯に当接した上記櫛歯状の界壁」が上記車輪を上記櫛歯に沿って上記中心線に向かって移動させるようにする減速装置を有する請求項１に記載するドア
【請求項７】
回転軸と回転軸から最も遠い車輪外周の点を結ぶ直線を軸心にして磁石を内蔵した渦巻き曲線の外周を持つ２つの渦巻き形状の車輪或いは２つの円形の偏心車輪を上記最も遠い車輪外周の点が接近し合うように、双方の軸心が同一直線上にあって互いに向かい合ってそれぞれをドアとドア枠に取り付け、ドアが閉まる直前に同極同士が接近するとき発生する反発力で、衝突せずに双方において磁石とともに渦巻き形状の車輪或いは円形の偏心車輪が回転し、渦巻き形状の車輪或いは円形の偏心車輪の回転軸と戸当りの間の距離が接近する長さに比べて長い長さを互いに回転し合って自転することにより、接近速度が減速され、異極同士が対面するまで回転すると異極同士が接近するとき発生する吸引力で、ドアを戸当りに押圧する装置で、双方の軸心間の距離が同極同志が接近するときと、異極同志が接近するときとで異なることを特徴とする請求項６に記載する装置。
【請求項８】
上記外縁部の回転軸からの距離が異なる２つの位置のそれぞれに、外部に向かう面が互いに異極である磁石を取り付けた「渦巻き曲線の外周を持つカム体或いは円形の偏心車輪」を「バネの伸縮に伴い互いに接近する駆動部の２つ部分の片方」の回転支点の廻りに回転自在に取り付け、且つ「回転軸から最も遠いほうの上記磁石」と同極同士が対面しあうように別の磁石を上記２つ部分の他方に取り付け、上記２つ部分が接近したとき同極同士が接近するとき発生する反発力で、衝突せずに上記磁石と共に上記カム体或いは円形の偏心車輪が回転したのち、異極同士が接近するとき発生する吸引力で、上記２つ部分が密着する減速装置を有する請求項１~8に記載するドア
【請求項９】
上記静止した状態から運動し始めて急加速する上記物体を制止する物体の軌道内に置かれて当りで上記物体が運動し始めて上記当りが置かれた位置を通過するまで所定時間軌道内に留まり上記物体が運動し始めて上記当りが置かれた位置を通過するとき、上記当りが物体の軌道内から排除されない以前に、物体が当りにあたって制止し、上記当りが物体の軌道内から排除された以後に、物体が当りにあたらず運動を継続するようにした物体の急加速を制止する上記当りを有する請求項１~8に記載するドア
【請求項１０】
上記ドアが静止した状態から回転し始めると同時に上記鋼球が下り勾配の通路を転がり始めて所定の時間後に上記下り勾配の通路の終端に到達する鋼球が，請求項２１記載の当りを該鋼球の重量でドアを制止させる位置から制止させない位置に移動させるようにして、静止した状態から回転し始めて一定時間後に一定速度を越えるドアを制止させ、一定速度を越えないドアを制止させないようにした請求項１~8に記載するドア
【請求項１１】
上記固定された上記滑走面Kとそれに連続する上記滑走面KKを備えて且つ末端部が回転支軸Ikに回転自在に軸支される上記逆止弁からなる一連の滑走面に沿って車輪Bが移動し、或いは上記一連の滑走面が上記車輪Bに沿って移動して回転体Jが回転軸Qを中心に回転するようにしたドアの駆動部において、上記車輪Bがドアが閉まるとき上記逆止弁が閉まった状態で上記一連の滑走面の末端部即ち上記回転支軸Ikに向かって移動し、ドアを閉めた後上記一連の滑走面の末端部を離れて上記滑走面KKのドアが閉まるとき通過した面の反対側の面に沿って逆行し、ドアを開くとき上記逆止弁を押し開けて上記滑走面KKのドアが閉まるとき通過した面に戻るようにするドアの駆動部を有する請求項１~8に記載するドア
【請求項１２】
回転するプレートに取り付けられた回転軸の周りを回転自在に軸支されたドアの両側面を回転方向の回転を止める当りと退避方向の回転を止める当りで挟み込んで上記プレートの固定されたドアが、閉まる直前の僅かに回転する範囲内においてだけ、上記回転方向の回転を止める当りをドアの側面から離してドアを退避可能な状態を保ち、同時にドアに付帯する重量物をドアの径方向に移動することで、ドアをプレートに取り付けられた回転軸を中心に回転させて、ドアに負荷される退避方向の力に対抗する請求項１~8に記載するドア回転ドア。
【請求項１３】
ドアの側面から離れた位置をプレートに取り付けられた回転軸に回転自在に軸支し、プレートに取り付けられた別の回転軸に回転自在に軸支されたアームの先端の車輪がドアの回転軸側側面に施された窪みに嵌り込み、同時にプレートの回転軸を中心とする円周の滑走面の外側を円運動することで、窪みから排出されないようにし、上記窪みをドア側面から離れた位置の回転軸に向かう力で押圧することでドアをプレートに固定し、ドアが閉まる直前の僅かに回転する範囲内においてだけ、窪みから排出されて上記円周の滑走面の内側に収容されることが可能な状態にして、ドアの回転軸と反対側側面に外力が作用したときアーム先端の車輪が上記窪みから排出されて回転自在になる構造の回転ドアで、或いは、ドアが閉まる直前の僅かに回転する範囲内においてだけ、強制的に窪みから排出されて上記円周の滑走面の内側に収容されるようにして、同時にドアをプレートに取り付けられた回転軸を中心に回転させて、ドアに負荷される退避方向の力に対抗する請求項１~8に記載するドア回転ドア。
【請求項１４】
筒状空間の中心軸から放射状に配されて上記筒状空間を複数のコンパートメントに仕切る数枚のドアが上記中心軸の周りを公転することによって、上記筒状空間の径方向に対抗する一対の出入り口が閉鎖状態と開放状態とを繰り返すようにする回転ドアであって、
上記数枚のドアのそれぞれは、出入り口が閉鎖される寸前から閉鎖されるまでの回転範囲で、上記プレートに設けられる回転軸Ｉｄの周りに回転自在に軸支され、上記回転範囲以外で上記プレートに固着され、
上記数枚のドアのそれぞれと上記プレートとの取り付け部に、回転軸Ｉｄの周りの回転を拘束する解除可能な拘束手段を備えることを特徴とする請求項１~8に記載するドア回転ドア。
【請求項１５】
上記回転軸Ｉｄはドアの幅方向の中間部に設けられ、上記中心軸に近い方のドアの端部に上記プレートと係合離脱する解除可能な固定手段を設けて、上記回転範囲で、プレートから離脱してドアが上記回転軸Ｉｄの周りに回転自在となり、上記回転範囲以外で上記プレートと係合してドアが上記プレートに固着されるようになる請求項1或いは１４に記載する回転ドア。
【請求項１６】
上記プレートにアームを介して取付けられ、上記中心軸の周りに設けられ上記筒状空間に固定される溝に沿って移動する係止体と、上記中心軸に近い方のドアの側面に上記係止体を収容するドア側窪と、上記溝の一部に設けられ上記ドア側窪から離脱した上記係止体を収容する溝側窪とを備え、
上記回転範囲以外で上記係止体は上記溝に沿って移動することでドア側窪に嵌合したまま離脱できない状態でドアが上記プレートに固着されるようになり、上記回転範囲で上記係止体は溝側窪に退避可能でドア側窪から離脱可能な状態で、上記中心軸から遠い方のドアの端部にドアの回転方向と反対方向の力が作用したとき、上記係止体が上記ドア側窪から離脱してドアが上記回転軸Ｉｄの周りに回転自在となる請求項１４に記載する或いは請求項１~8に記載するドア回転ドア。
【請求項１７】
上記係止体が上記ドア側窪から離脱して、上記溝側窪に収容されたとき、上記係止体を係止する係止部を溝側窪に設けて、上記プレートの回転を阻止するようにした請求項１４に記載する或いは請求項１~8に記載するドア回転ドア。
【請求項１８】
ドアの幅方向に設けられドアに設けられる径方向通路と、上記中心軸の周りに設けられ上記筒状空間に固定される楕円の通路と、上記径方向通路と上記楕円の通路とに同時に沿って移動する移動体とを備え、上記移動体が上記回転範囲で上記通路の上記中心軸に近い位置にあって、上記回転範囲以外で上記通路の上記中心軸から遠い位置にあるようにした請求項１４或いは１５に記載する回転ドア。
【請求項１９】
ドアに回転を伝える駆動部の駆動装置は、ドア枠に取り付く回転軸を中心に回転する回転アームに取り付く装置で、上記回転アームに取り付く回転支点の周りに回転自在に軸支されるアームと、アームの回転を阻止し回転アームに取り付けられる当りと、片方の支点をアームの回転支点の反対側端部である先端に連結し他方の支点を上記回転アームに取り付かない支点に取り付ける引きバネからなり、アームが上記当りと離れた状態で回転アームの回転に伴って回転するとき、引きバネの伸縮と引きバネがドアを戸当りに押圧するようにして、発生するバネの力でドアを回転させる装置で、異なるアームと異なる当りと異なるバネからなる上記駆動装置回転アームに取り付けることによって回転アームの回転に与える効果が重ね合わさる請求項１~8に記載するドアの駆動装置。
【請求項２０】
ドアに回転を伝える駆動部の回転アーム先端の接続軸とドアに取り付けられる接続軸との間を、回転アーム先端の接続軸に連結される第１のリンクと、第１のリンクとドアに取り付けられる接続軸を連結する第2のリンクの2つのリンクで連結し、且つ駆動部の回転アーム先端の接続軸とを連結する第３のリンクの2つのリンクで連結し、回転アームの回転をドアの回転に伝える構造であって、上記第３のリンクが回転して閉まるとともに、上記５つのリンクが折れ曲がった状態から一直線になりながら、上記第１のリンクと第３のリンクの接続軸がドア枠に取り付けられる回転軸を中心に回転して、ドアを開く方向に回転する。或いは円弧の両端を結ぶ弦または円弧の両端を結ぶ弦で形成される滑走面を移動することにより回転することを特徴とする請求項１~8に記載するドア